(57)【要約】【課題】設置時および設置後の手続きを簡易に行うこと。【解決手段】１または複数の周波数帯域に配された第１放送信号と、第１放送信号とは異なる第２放送信号とを多重化して出力する放送信号多重化装置において、第１放送信号が入力される入力手段（入力端子１２）と、第２放送信号を変調する変調手段（ＯＦＤＭ変調部２２）と、入力された第１放送信号と変調手段によって変調された第２放送信号とを混合する混合手段（混合部２３）と、混合手段から出力される放送信号を復調する復調手段（ＯＦＤＭ復調部１７）と、混合手段に対する第２放送信号の供給を一時的に停止して混合手段から第１放送信号のみが出力される状態とし、復調手段の出力を参照して第１放送信号の空いている周波数帯域を特定し、空いている周波数帯域に第２放送信号を設定するように変調手段を制御する制御手段（制御部１９）とを有する。【選択図】図１
2016092702.tif 000002
【特許請求の範囲】
【請求項１】
１または複数の周波数帯域に配された第１放送信号と、前記第１放送信号とは異なる第２放送信号とを多重化して出力する放送信号多重化装置において、
前記第１放送信号が入力される入力手段と、
前記第２放送信号を変調する変調手段と、
入力された前記第１放送信号と前記変調手段によって変調された前記第２放送信号とを混合する混合手段と、
前記混合手段から出力される放送信号を復調する復調手段と、
前記混合手段に対する前記第２放送信号の供給を一時的に停止して前記混合手段から前記第１放送信号のみが出力される状態とし、前記復調手段の出力を参照して前記第１放送信号の空いている周波数帯域を特定し、前記空いている周波数帯域に前記第２放送信号を設定するように前記変調手段を制御する制御手段と、
を有することを特徴とする放送信号多重化装置。
【請求項２】
前記制御手段は、前記第１放送信号の信号レベルが所定の閾値未満である周波数帯域を、前記空いている周波数帯域と判定することを特徴とする請求項１に記載の放送信号多重化装置。
【請求項３】
前記制御手段は、前記空いている周波数帯域が複数存在する場合には、該複数の空いている周波数帯域のうち、前記第１放送信号が配された周波数帯域により近い周波数帯域を選択して前記第２放送信号を設定するように前記変調手段を制御することを特徴とする請求項２に記載の放送信号多重化装置。
【請求項４】
前記制御手段は、前記変調手段から出力される前記第２放送信号の信号レベルを、前記第１放送信号の信号レベルと同等になるように設定することを特徴とする請求項１乃至３のいずれか１項に記載の放送信号多重化装置。
【請求項５】
前記制御手段は、前記混合手段に対する前記第２放送信号の供給を一時的に停止して前記混合手段から前記第１放送信号のみが出力される状態とし、前記復調手段の出力を参照して、前記第１放送信号の状態が変更されていないか判定することを特徴とする請求項１乃至４のいずれか１項に記載の放送信号多重化装置。
【請求項６】
前記制御手段は、前記復調手段によって前記第２放送信号の復調が可能か否かを判定し、復調できない場合には前記混合手段から前記第１放送信号のみが出力される状態として前記第２放送信号が配される周波数帯域の信号レベルが所定のレベル以上である場合には当該周波数帯域とは異なる周波数帯域を選択し、所定のレベル未満である場合には自装置の異常と判定することを特徴とする請求項１乃至５のいずれか１項に記載の放送信号多重化装置。
【請求項７】
前記制御手段は、前記第２放送信号の信号品質を検出し、前記信号品質の検出結果が正常でない場合には前記混合手段から前記第１放送信号のみが出力される状態として前記第２放送信号が配される周波数帯域の信号レベルが所定のレベル以上である場合には当該周波数帯域とは異なる周波数帯域を選択し、所定のレベル未満である場合には自装置の異常と判定することを特徴とする請求項１乃至６のいずれか１項に記載の放送信号多重化装置。
【請求項８】
前記制御手段は、前記第１放送信号に含まれるネットワークＩＤ、サービスＩＤ、および、リモコンキーＩＤを抽出し、これらとは重複しないネットワークＩＤ、サービスＩＤ、および、リモコンキーＩＤを前記第２放送信号に対して設定することを特徴とする請求項１乃至７のいずれか１項に記載の放送信号多重化装置。
【請求項９】
１または複数の周波数帯域に配された第１放送信号と、前記第１放送信号とは異なる第２放送信号とを多重化して出力する放送信号多重化方法において、
前記第１放送信号を入力する入力ステップと、
前記第２放送信号を変調する変調ステップと、
前記入力ステップにおいて入力された前記第１放送信号と、前記変調ステップにおいて変調された前記第２放送信号とを混合する混合ステップと、
前記混合ステップにおいて出力される放送信号を復調する復調ステップと、
前記混合ステップに対する前記第２放送信号の供給を一時的に停止して前記混合ステップから前記第１放送信号のみが出力される状態とし、前記復調ステップの出力を参照して前記第１放送信号の空いている周波数帯域を特定し、前記空いている周波数帯域に前記第２放送信号を設定するように前記変調ステップを制御する制御ステップと、
を有することを特徴とする放送信号多重化方法。
【発明の詳細な説明】
【技術分野】
【０００１】
本発明は、放送信号多重化装置および放送信号多重化方法に関するものである。
【背景技術】
【０００２】
ホテルやショッピングセンター等の商業施設、または、病院、学校等の施設においては、例えば、地上デジタル放送信号に対して、自主的に作成した自主放送を多重化して、施設内に送出する放送信号多重化装置が使用されることがある（特許文献１参照）。
【先行技術文献】
【特許文献】
【０００３】
【特許文献１】特開２００８−３４８９８号公報
【発明の概要】
【発明が解決しようとする課題】
【０００４】
ところで、従来の放送信号多重化装置を新たに設置する場合には、以下のような手続きによる設定を行う必要があることから非常に煩雑であり、また、特殊な測定装置が必要になることから、一般人には設定することが困難であるという問題点がある。
【０００５】
（１）自主放送を重畳可能な地上デジタル放送信号の空き周波数を、スペクトラムアナライザを用いて調査する。
（２）ＯＦＤＭ復調器やＴＳアナライザを用いて、ＣＡＴＶ事業者が運用している自主放送を含めた各放送局のリモコンキーＩＤ、ネットワークＩＤを調査する。
（３）放送信号多重化装置に対し、（２）で調査したリモコンキーＩＤ、ネットワークＩＤ、さらに、ＡＲＩＢを調査し、使用されているネットワークＩＤを避けてリモコンキーＩＤとネットワークＩＤを運用ガイドラインに基づいて設定する。また、テレビ受信機上で表示されるＥＰＧの表示順やチャンネルＵＰ／ＤＯＷＮボタンでのチャンネル表示順を考慮しネットワークＩＤ、リモコンキーＩＤを設定する。
（４）放送信号多重化装置に対し（１）で調査した空き周波数帯域を自主放送の周波数帯域として設定する。
（５）放送信号多重化装置から出力する自主放送信号のＲＦ信号レベルを調整する。
【０００６】
また、放送信号多重化装置を設置した後に、自主放送と同じ周波数またはネットワークＩＤ、リモコンＩＤが割り当てられた地上デジタル放送のチャンネルが追加された場合には、自主放送によって当該地上デジタル放送のチャンネルに障害が発生する場合があるという問題点もある。
【０００７】
さらに、放送信号多重化装置を設置後において、放送信号多重化装置が正常に動作しているか否かを監視するためには、監視専用の装置を新たに配置する必要があるという問題点もある。
【０００８】
本発明は、以上の点に鑑みてなされたものであり、設置時および設置後の手続きを簡易に行うことが可能な放送信号多重化装置および放送信号多重化方法を提供することを目的とする。
【課題を解決するための手段】
【０００９】
上記課題を解決するために、本発明は、１または複数の周波数帯域に配された第１放送信号と、前記第１放送信号とは異なる第２放送信号とを多重化して出力する放送信号多重化装置において、前記第１放送信号が入力される入力手段と、前記第２放送信号を変調する変調手段と、入力された前記第１放送信号と前記変調手段によって変調された前記第２放送信号とを混合する混合手段と、前記混合手段から出力される放送信号を復調する復調手段と、前記混合手段に対する前記第２放送信号の供給を一時的に停止して前記混合手段から前記第１放送信号のみが出力される状態とし、前記復調手段の出力を参照して前記第１放送信号の空いている周波数帯域を特定し、前記空いている周波数帯域に前記第２放送信号を設定するように前記変調手段を制御する制御手段と、を有することを特徴とする。
このような構成によれば、設置時および設置後の手続きを簡易に行うことが可能となる。
【００１０】
また、本発明は、前記制御手段は、前記第１放送信号の信号レベルが所定の閾値未満である周波数帯域を、前記空いている周波数帯域と判定することを特徴とする。
このような構成によれば、空いている周波数帯域を確実に検出することができる。
【００１１】
また、本発明は、前記制御手段は、前記空いている周波数帯域が複数存在する場合には、該複数の空いている周波数帯域のうち、前記第１放送信号が配された周波数帯域により近い周波数帯域を選択して前記第２放送信号を設定するように前記変調手段を制御することを特徴とする。
このような構成によれば、第１および第２放送信号の双方を含む放送信号の周波数帯域をより狭くすることができるので、伝送路に要求される伝送特性を緩和することができる。
【００１２】
また、本発明は、前記制御手段は、前記変調手段から出力される前記第２放送信号の信号レベルを、前記第１放送信号の信号レベルと同等になるように設定することを特徴とする。
このような構成によれば、第２放送信号と、これに隣接する第１放送信号との間の干渉を少なくすることができる。
【００１３】
また、本発明は、前記制御手段は、前記混合手段に対する前記第２放送信号の供給を一時的に停止して前記混合手段から前記第１放送信号のみが出力される状態とし、前記復調手段の出力を参照して、前記第１放送信号の状態が変更されていないか判定することを特徴とする。
このような構成によれば、例えば、第１放送信号に新たなサービスが追加されたことを検出することができる。
【００１４】
また、本発明は、前記制御手段は、前記復調手段によって前記第２放送信号の復調が可能か否かを判定し、復調できない場合には前記混合手段から前記第１放送信号のみが出力される状態として前記第２放送信号が配される周波数帯域の信号レベルが所定のレベル以上である場合には当該周波数帯域とは異なる周波数帯域を選択し、所定のレベル未満である場合には自装置の異常と判定することを特徴とする。
このような構成によれば、第２放送信号の周波数帯域に新たなサービスが追加されたり、自装置が異常になったりしたことを検出することができる。
【００１５】
また、本発明は、前記制御手段は、前記第２放送信号の信号品質を検出し、前記信号品質の検出結果が正常でない場合には前記混合手段から前記第１放送信号のみが出力される状態として前記第２放送信号が配される周波数帯域の信号レベルが所定のレベル以上である場合には当該周波数帯域とは異なる周波数帯域を選択し、所定のレベル未満である場合には自装置の異常と判定することを特徴とする。
このような構成によれば、第２放送信号の周波数帯域に新たなサービスが追加されたり、自装置が異常になったりしたことを検出することができる。
【００１６】
また、本発明は、前記制御手段は、前記第１放送信号に含まれるネットワークＩＤ、サービスＩＤ、および、リモコンキーＩＤを抽出し、これらとは重複しないネットワークＩＤ、サービスＩＤ、および、リモコンキーＩＤを前記第２放送信号に対して設定することを特徴とする。
このような構成によれば、ネットワークＩＤ、サービスＩＤ、および、リモコンキーＩＤを適切に設定することができる。
【００１７】
また、本発明は、１または複数の周波数帯域に配された第１放送信号と、前記第１放送信号とは異なる第２放送信号とを多重化して出力する放送信号多重化方法において、
前記第１放送信号を入力する入力ステップと、前記第２放送信号を変調する変調ステップと、前記入力ステップにおいて入力された前記第１放送信号と、前記変調ステップにおいて変調された前記第２放送信号とを混合する混合ステップと、前記混合ステップにおいて出力される放送信号を復調する復調ステップと、前記混合ステップに対する前記第２放送信号の供給を一時的に停止して前記混合ステップから前記第１放送信号のみが出力される状態とし、前記復調ステップの出力を参照して前記第１放送信号の空いている周波数帯域を特定し、前記空いている周波数帯域に前記第２放送信号を設定するように前記変調ステップを制御する制御ステップと、を有することを特徴とする。
このような方法によれば、設置時および設置後の手続きを簡易に行うことが可能となる。
【発明の効果】
【００１８】
本発明によれば、設置時および設置後の手続きを簡易に行うことが可能な放送信号多重化装置および放送信号多重化方法を提供することができる。
【図面の簡単な説明】
【００１９】
【図１】本発明の実施形態の構成例を示す図である。
【図２】図１に示す実施形態が受信する地上デジタル放送の信号の構成例を示す図である。
【図３】図１に示す実施形態において実行される設定処理の一例を説明するためのフローチャートである。
【図４】図１に示す実施形態において実行される変更の有無を検出する処理の一例を説明するためのフローチャートである。
【図５】図１に示す実施形態において実行される自主放送が正常か否かを判定する処理の一例を説明するためのフローチャートである。
【図６】図１に示す実施形態において実行される自主放送の信号レベルを調整する処理の一例を説明するためのフローチャートである。
【発明を実施するための形態】
【００２０】
（Ａ）本発明の実施形態の構成の説明
図１は、本発明の実施形態の構成例を示す図である。この図１に示すように、本発明の実施形態に係る放送信号多重化装置１は、入力端子１０，１２、入出力端子１１、ビデオ・オーディオ処理部１３、エンコード部１４、受信監視制御部１５、ＰＳＩ（Program Specific Information）／ＳＩ（Service Information）生成部１６、ＯＦＤＭ（Orthogonal Frequency Modulation）復調部１７、時刻生成部１８、制御部１９、入出力部２０、多重化部２１、ＯＦＤＭ変調部２２、混合部２３、分配部２４、および、出力端子２５を有している。
【００２１】
入力端子１０は、自主放送（請求項中の「第２放送信号」に対応）を作成するための信号、例えば、ビデオ信号、オーディオ信号、データ信号等が入力される端子である。入出力端子１１は、例えば、イーサネット（登録商標）等のネットワークに接続され、ネットワークを介して、例えば、上位の装置との間で情報を授受する端子である。入力端子１２は、例えば、地上デジタル放送（請求項中の「第１放送信号」に対応）が入力される端子である。
【００２２】
ビデオ・オーディオ処理部１３は、ビデオ信号、オーディオ信号、データ信号等が入力されるインターフェースを有するとともに、入力された信号を選択してエンコード部１４に供給する。
【００２３】
エンコード部１４は、ビデオ・オーディオ処理部１３から供給されるビデオ信号、オーディオ信号、データ信号等を地上デジタル放送で使用される形式に変換する処理を実行する。例えば、映像・音声・データに対して符号化処理および圧縮処理を施す。
【００２４】
受信監視制御部１５は、ＯＦＤＭ復調部１７を制御するとともに、受信状態を監視する。
【００２５】
ＰＳＩ／ＳＩ生成部１６は、入出力部２０を介して入力された情報に基づいて、ＡＲＩＢ（Association of Radio Industries and Business）で規定されているＰＳＩ／ＳＩ情報を生成して出力する。なお、ＰＳＩは、ＭＰＥＧ２  Ｓｙｓｔｅｍｓ（ISO/IEC13818-1, ITU-T H.222.0）で規格化されており、所要の番組を選択するために必要な情報でＰＡＴ（Program Association Table）、ＰＭＴ（Program Map Table）、ＮＩＴ（Network Information Table）、ＣＡＴ（Conditional Access Table）の４つのテーブルから構成される。また、ＳＩはＡＲＩＢ  ＳＴＤ−Ｂ１０で規定されており、番組選択の利便性のために規定された各種情報でＳＤＴ（Service Description Table）、ＥＩＴ（Event Information Table）、ＢＩＴ（Broadcast Information Table）、ＴＯＴ（Time Offset Table）等のテーブルから構成される。
【００２６】
ＯＦＤＭ復調部１７は、受信監視制御部１５によって制御され、地上デジタル放送を復調し、ＴＳ（Transport Stream）信号を出力する。
【００２７】
時刻生成部１８は、ＯＦＤＭ復調部１７から出力されるＴＳ信号に含まれるＴＯＴ（時刻情報）を取得し、ＯＦＤＭ変調部２２における遅延時間に対応するオフセットを施して新たに得られた時刻情報を出力する。
【００２８】
制御部１９は、ネットワークを介して上位の装置から供給された情報、入出力部２０から入力された情報に基づいて、装置の各部を制御するとともに、制御の結果として得られた情報を入出力部に供給して表示させる。なお、図１では、説明を簡略化するために、制御部１９と各部との接続線は明示していないが、制御部１９と各部とは、制御線によって電気的に接続される。
【００２９】
入出力部２０は、放送信号の受信状態や放送信号多重化装置１の各種設定等に関する情報を入力または出力するためのインターフェースであり、例えば、該情報を入力するための１または複数のボタンと、該情報を出力するための液晶表示パネル等によって構成される。もちろん、これら以外の組み合わせによる構成でもよい。
【００３０】
多重化部２１は、エンコード部１４から出力される自主放送信号、ＰＳＩ／ＳＩ生成部１６から出力される番組情報、および、時刻生成部１８から出力される時刻情報を多重化してＴＳ信号を生成し、ＯＦＤＭ変調部２２に供給する。
【００３１】
ＯＦＤＭ変調部２２は、多重化部２１から供給されるＴＳ信号を、地上デジタル放送で規定されるＯＦＤＭ信号に変調する。なお、ＯＦＤＭ変調部２２は、制御部１９によって制御され、後段の機器に出力されるＯＦＤＭ信号の周波数および信号レベル等を決定する。
【００３２】
混合部２３は、ＯＦＤＭ変調部２２から出力される自主放送信号と、入力端子１２から入力される地上デジタル放送信号とを混合して出力する。
【００３３】
分配部２４は、混合部２３から出力される信号の一部を分配してＯＦＤＭ復調部１７に供給する。
【００３４】
（Ｂ）本発明の実施形態の動作の説明
つぎに、本発明の実施形態の動作について説明する。以下では、本発明の実施形態の動作の概要について説明した後に、図３〜図６を参照して詳細な動作を説明する。
【００３５】
本実施形態に係る放送信号多重化装置１が、例えば、ホテルやショッピングセンター等の商業施設、または、病院、学校等の施設に新規に配置され、入力端子１０には自主放送信号を生成するための映像信号等が入力され、入出力端子１１にはネットワークを介して上位装置が接続される。なお、上位装置としては、例えば、放送信号多重化装置１の監視や制御を行う装置や時刻サーバー等が挙げられる。また、入力端子１２には地上デジタル放送が入力される。このような状態において、設置者が入出力部２０を操作し、設定処理を実行する指示を行った場合には、以下に説明する設定処理が実行される。
【００３６】
設定処理では、まず、制御部１９によって、ＯＦＤＭ変調部２２がオフの状態に設定される。この結果、自主放送信号が混合部２３に供給されない状態となるので、混合部２３からは地上デジタル放送信号のみを含む信号が出力され、分配部２４は混合部２３から出力される信号を分配して、ＯＦＤＭ復調部１７に供給する。ＯＦＤＭ復調部１７は、受信監視制御部１５を介した制御部１９の制御に応じて、地上デジタル放送信号に含まれている複数のチャンネルの信号を１つずつ選択して受信する。より詳細には、地上デジタル放送信号は、例えば、図２に示すように中心周波数ｆ１〜ｆｎ（ｎは１以上の自然数）のｎチャンネルの放送信号を有しており、各チャンネルの放送信号はそれぞれτの周波数帯域を有している。ＯＦＤＭ復調部１７は、図２に示す中心周波数ｆ１〜ｆｎのｎチャンネルの放送信号を、例えば、周波数の低い順に選択して受信する。
【００３７】
制御部１９は、ＯＦＤＭ復調部１７によって選択された放送信号のＲＦ信号レベルを検出する。そして、ＲＦ信号レベルが所定の閾値以上である場合には、当該チャンネルの放送信号は正常であると判定する。そして、ＯＦＤＭ復調部１７は、ＲＦ信号レベルが所定の閾値以上であるチャンネルについては、ＯＦＤＭ復調を施し、ＯＦＤＭ復調に成功した場合には、当該放送信号に含まれているＮＩＴ（Network Information Table）を取得する。なお、ＮＩＴには、ネットワークＩＤ、ＴＳ−ＩＤ、リモコンキーＩＤ、放送サービスを識別するサービスＩＤ、ネットワークの名称、物理周波数等の情報が記載されている。制御部１９は、取得したＮＩＴを解析し、ネットワークＩＤ、ＴＳ−ＩＤ、リモコンキーＩＤ、および、サービスＩＤ等を解析する処理を実行する。
【００３８】
一方、ＲＦ信号レベルが所定の閾値未満である場合には、当該チャンネルは空きチャンネルであると判定して記憶する。制御部１９は、ｆ１〜ｆｎの全てのチャンネルに対して前述した処理を繰り返し実行する。この結果、図２に示すｆ１〜ｆｎを中心周波数とするチャンネルに対する処理が終了する。
【００３９】
全てのチャンネルに対する検出処理が終了すると、制御部１９は、放送信号多重化装置１が設置された地域を、ＮＩＴに基づいて特定する。制御部１９は、例えば、ネットワークＩＤに含まれている地域識別を抽出し、抽出した地域識別のうち最も多く含まれている地域識別に基づいて、装置が設置されている地域を特定する。
【００４０】
つぎに、制御部１９は、自主放送に付与するネットワークＩＤとサービスＩＤを決定する。ここで、ネットワークＩＤとは、１つのサービスエリア内で同一内容の放送を送信する単位を送出マスターに対して付与されるＩＤである。また、サービスＩＤとは、各送出マスターが送出するサービスに対して付与されるＩＤである。デジタル放送では、一般に、ニュースやドラマ等のような開始時刻、終了時刻が定められた番組のことをイベントと呼び、このイベントが連続して編成されたプログラムのことをサービスと称する。各送出マスターは、サービス（プログラム）を１以上放送することが可能とされている。制御部１９は、入力端子１２から入力される地上デジタル放送に含まれるネットワークＩＤおよびサービスＩＤを参照し、これらと重複しないネットワークＩＤおよびサービスＩＤを決定する。
【００４１】
つぎに、制御部１９は、自主放送に付与するリモコンキーＩＤを決定する。より詳細には、制御部１９は、入力端子１２から入力される地上デジタル放送に含まれるリモコンキーＩＤを参照し、これと重複しないリモコンキーＩＤを決定する。なお、全てのリモコンキーＩＤが使用されている場合には、例えば、地域識別によって特定される地域において自主放送に対して割り当てられているリモコンキーＩＤを用いることができる。あるいは、各リモコンキーＩＤに付与されている優先度を参照し、当該優先度が低いリモコンキーＩＤを使用するようにしてもよい。
【００４２】
つぎに、制御部１９は、ＯＦＤＭ変調部２２を制御し、自主放送の周波数を空きチャンネルに設定する。例えば、図２において、周波数ｆ２が空きチャンネルになっている場合には、周波数ｆ２を自主放送の周波数として設定する。
【００４３】
つぎに、制御部１９は、地上デジタル放送のＲＦ信号レベルの平均値を算出する。例えば、図２の場合では、ＲＦ信号レベルの平均値であるαが算出される。そして、制御部１９は、ＯＦＤＭ変調部２２を制御し、自主放送のＲＦ信号レベルを平均値であるαに設定する。なお、平均値を算出する場合は、ｆ１〜ｆｎ全てのチャンネルの平均値を算出してもよいし、空きチャンネルの周波数に近接または隣接するチャンネルについてのみ算出してもよい。
【００４４】
つぎに、制御部１９は、自主放送用のＰＡＴ、ＰＭＴ、ＮＩＴ、ＣＡＴの４つのテーブルからＰＳＩを生成し、また、ＳＤＴ、ＥＩＴ、ＢＩＴ、ＴＯＴ等のテーブルからＳＩを生成し、ＰＳＩ／ＳＩ生成部１６に設定する。
【００４５】
以上の設定が完了すると、制御部１９は、ＯＦＤＭ変調部２２をオンの状態にする。これにより、エンコード部１４から出力される自主放送の放送信号、ＰＳＩ／ＳＩ生成部１６によって生成されるＰＳＩ／ＳＩ、時刻生成部１８によって生成される時刻情報が多重化され、ＯＦＤＭ変調部２２によってＯＦＤＭ変調されて出力される。混合部２３は、ＯＦＤＭ変調部２２から出力される自主放送信号と、入力端子１２から入力される地上デジタル放送信号とを混合して出力端子２５から出力する。出力端子２５の後段には複数のテレビ受像機が接続されており、これらのテレビ受像機では、地上デジタル放送を視聴することができるとともに、自主放送を視聴することができる。また、自主放送には、ネットワークＩＤ、サービスＩＤ、および、リモコンキーＩＤが地上デジタル放送と重複しないように付与されるので、テレビ受像機では、地上デジタル放送および自主放送を問題なく視聴することができる。
【００４６】
以上のようにして設定処理が実行された後は、地上デジタル放送信号の状態が変化していないかを一定時間おき、例えば、１日おきに監視し、変化が生じている場合には、前述した設定処理を実行する。すなわち、地上デジタル放送信号の各チャンネルのＲＦ信号レベルを検出し、また、ＯＦＤＭ復調ができるか否かを判定し、復調できる場合にはＮＩＴを解析する処理を実行する。そして、このような処理によって、前回結果から変化していた場合（例えば、新たな放送信号が増えたり、各種ＩＤが変更されたりした場合）には、前述した設定処理を再度実行する。これにより、地上デジタル放送信号の状態が変更された場合には、該変更に対応して自主放送のチャンネルを設定することが可能となる。
【００４７】
また、本実施形態では、自主放送信号が正常であるか否かを判定することも可能である。すなわち、制御部１９は、受信監視制御部１５を介してＯＦＤＭ復調部１７に対して、自主放送の放送信号を受信して復調するように指示する。その結果、ＯＦＤＭ復調部１７は、分配部２４によって分配される信号から、自主放送の信号を受信し、ＯＦＤＭ復調を実行する。自主放送のＯＦＤＭ復調に成功した場合には、自主放送信号は正常であると判定する。また、正常に復調できない場合には、制御部１９は、ＯＦＤＭ変調部２２をオフの状態にし、そのときの自主放送の周波数帯域のＲＦ信号レベルを検出し、ＲＦ信号レベルが所定の閾値以上である場合には、何らかの異常、例えば、何らかの信号が上位の装置から出力されており、自主放送信号の周波数帯域と重なっていると判定し、自主放送の周波数を変更するために、前述した設定処理を実行する。また、ＲＦ信号レベルが所定の閾値未満である場合には自装置の異常であると判定し、例えば、入出力部２０に対して、自装置に異常が生じていることを示す表示をおこなう。
【００４８】
また、本実施形態では、地上デジタル放送のＲＦ信号レベルを監視し、信号レベルが変化した場合には、自主放送のＲＦ信号レベルを調整する。すなわち、制御部１９は、受信監視制御部１５を介してＯＦＤＭ復調部１７に対して地上デジタル放送の全ての信号のＲＦ信号レベルを検出させるとともに、自主放送のＲＦ信号レベルと比較する。そして、これらが同等でない場合（例えば、所定の閾値以上（例えば、数ｄＢ以上）乖離している場合）には、制御部１９は、ＯＦＤＭ変調部２２を制御し、自主放送のＲＦ信号レベルを調整して地上デジタル放送のＲＦ信号レベルの平均値と同等になるように調整する。これにより、自主放送のＲＦ信号レベルは、地上デジタル放送のＲＦ信号レベルと同等になるように調整されるので、自主放送のＲＦ信号が近接または隣接する地上デジタル放送のＲＦ信号に影響を与えたり、近接または隣接する地上デジタル放送のＲＦ信号が自主放送のＲＦ信号に影響を与えたりすることを防止できる。
【００４９】
つぎに、図３〜図６に示すフローチャートを参照して、図１に示す実施形態において実行される処理の詳細について説明する。まず、図３は、設定処理の詳細を説明するためのフローチャートである。この処理は、放送信号多重化装置１が施設に設置され、入出力部２０の設定処理の実行を指示するボタンが操作された場合に開始される。このフローチャートが開始されると、以下のステップが実行される。
【００５０】
ステップＳ１０では、制御部１９は、ＯＦＤＭ変調部２２をオフの状態に設定する。この結果、ＯＦＤＭ変調部２２からは自主放送が出力されない状態となるので、混合部２３からは地上デジタル放送のみが出力される状態となる。
【００５１】
ステップＳ１１では、制御部１９は、ＯＦＤＭ復調部１７を制御して、所定のチャンネルを受信させる。例えば、地上デジタル放送信号が図２に示すような構成である場合には、周波数ｆ１，ｆ２，ｆ３，・・・，ｆｎの順番にチャンネルを選択して受信する。
【００５２】
ステップＳ１２では、制御部１９は、ＯＦＤＭ復調部１７によって、ステップＳ１１で受信したチャンネルのＲＦ信号レベルを検出させる。例えば、初回の処理では、図２に示すｆ１の周波数のチャンネルの放送信号のＲＦ信号レベルが検出される。
【００５３】
ステップＳ１３では、制御部１９は、ステップＳ１２で検出したＲＦ信号レベルが所定の閾値Ｔｈ１未満であるか否かを判定し、Ｔｈ１未満であると判定した場合（ステップＳ１３：Ｙｅｓ）には１４に進み、それ以外の場合（ステップＳ１３：Ｎｏ）にはステップＳ１５に進む。例えば、ステップＳ１２で検出したＲＦ信号レベルが、ＯＦＤＭ信号を受信可能な信号レベルを下回る場合にはステップＳ１４に進む。
【００５４】
ステップＳ１４では、制御部１９は、当該チャンネルを空きチャンネルとして記憶する。例えば、図２に示す周波数ｆ１のチャンネルのＲＦ信号レベルが閾値Ｔｈ１未満である場合には、当該チャンネルは空きチャンネルとして記憶される。
【００５５】
ステップＳ１５では、制御部１９は、ＯＦＤＭ復調部１７を制御して、ＯＦＤＭ復調を実行させる。例えば、図２に示す周波数ｆ１のチャンネルが対象である場合には、当該チャンネルの信号に対してＯＦＤＭ変調が実行される。
【００５６】
ステップＳ１６では、制御部１９は、ステップＳ１５におけるＯＦＤＭ復調に成功したか否かを判定し、成功した場合（ステップＳ１６：Ｙｅｓ）にはステップＳ１７に進み、それ以外の場合（ステップＳ１６：Ｎｏ）にはステップＳ１８に進む。例えば、図２に示す周波数ｆ１のチャンネルの放送信号のＯＦＤＭ復調に成功した場合には地上デジタル放送を構成する信号であると判定してステップＳ１７に進み、それ以外の場合には地上デジタル放送を構成する信号ではなく、他の信号であると判定してステップＳ１８に進む。
【００５７】
ステップＳ１７では、制御部１９は、ＮＩＴの解析処理を実行する。より詳細には、制御部１９は、ＮＩＴに含まれている、ネットワークＩＤ、ＴＳ−ＩＤ、リモコンキーＩＤ、サービスＩＤ、ネットワークＩＤ、物理周波数等の情報を取得し、記憶する。
【００５８】
ステップＳ１８では、制御部１９は、地上デジタル放送の全てのチャンネルの放送に対する処理を実行したか否かを判定し、処理を実行したと判定した場合（ステップＳ１８：Ｙｅｓ）にはステップＳ１９に進み、それ以外の場合（ステップＳ１８：Ｎｏ）にはステップＳ１１に戻って前述の場合と同様の処理を繰り返す。
【００５９】
ステップＳ１９では、制御部１９は、ステップＳ１７の処理において取得されたネットワークＩＤに含まれている地域識別を抽出し、抽出した地域識別のうち最も多く含まれている地域識別に基づいて、装置が設置されている地域を特定する。
【００６０】
ステップＳ２０では、制御部１９は、自主放送のネットワークＩＤを決定する。より詳細には、制御部１９は、ステップＳ１７の処理において取得された地上デジタル放送のネットワークＩＤを参照し、これらと重複しないネットワークＩＤを決定する。
【００６１】
ステップＳ２１では、制御部１９は、自主放送のサービスＩＤを決定する。より詳細には、制御部１９は、ステップＳ１７の処理において取得された地上デジタル放送のサービスＩＤを参照し、これらと重複しないサービスＩＤを決定する。
【００６２】
ステップＳ２２では、制御部１９は、自主放送のリモコンキーＩＤを決定する。より詳細には、制御部１９は、ステップＳ１７の処理において取得された地上デジタル放送のリモコンキーＩＤを参照し、これらと重複しないリモコンキーＩＤを決定する。また、重複しないリモコンキーＩＤが存在しない場合には、地域識別を参照し、当該地域において自主放送に割り当てられているデフォルトのリモコンキーＩＤを割り当てる。あるいは、各リモコンキーＩＤに付与されている優先度を参照し、該優先度が低いリモコンキーＩＤを使用するようにしてもよい。
【００６３】
ステップＳ２３では、制御部１９は、自主放送の周波数を空きチャンネルに設定する。より詳細には、制御部１９は、ステップＳ１４において空きチャンネルとして記憶されているチャンネルが存在する場合には、自主放送を当該チャンネルに割り当てる。なお、空きチャンネルが複数存在する場合には、例えば、地上デジタル放送を構成する他のチャンネル群に近い周波数を優先的に割り当てる。このように、地上デジタル放送に近い周波数を割り当てることで、放送信号のトータルの周波数帯域を狭く設定することができるので、伝送路に要求される周波数特性を低くすることができる。
【００６４】
ステップＳ２４では、制御部１９は、ステップＳ１２で検出された地上デジタル放送信号のＲＦ信号レベルの平均値を算出する。例えば、図２の例では、周波数ｆ１〜ｆｎのＲＦ信号レベルの平均値であるαが算出される。
【００６５】
ステップＳ２５では、制御部１９は、ＯＦＤＭ変調部２２から出力されるＲＦ信号レベルを、ステップＳ２４で算出した地上デジタル放送信号のＲＦ信号レベルの平均値に設定する。例えば、図２の例では、周波数ｆ１〜ｆｎのＲＦ信号レベルの平均値であるαに、自主放送のＲＦ信号レベルが設定される。
【００６６】
ステップＳ２６では、制御部１９は、自主放送用のＰＡＴ、ＰＭＴ、ＮＩＴ、ＣＡＴの４つのテーブルからＰＳＩを生成し、また、ＳＤＴ、ＥＩＴ、ＢＩＴ、ＴＯＴ等のテーブルからＳＩを生成し、ＰＳＩ／ＳＩ生成部１６に設定する。
【００６７】
ステップＳ２７では、制御部１９は、ＯＦＤＭ変調部２２をオンの状態にする。この結果、エンコード部１４から出力される自主放送の放送信号と、ＰＳＩ／ＳＩ生成部１６によって生成されるＰＳＩ／ＳＩと、時刻生成部１８によって生成される時刻情報とが多重化部２１によって多重化され、ＯＦＤＭ変調部２２に供給される。ＯＦＤＭ変調部２２は、多重化部２１から供給される信号をＯＦＤＭ変調して混合部２３に出力する。混合部２３は、ＯＦＤＭ変調部２２から出力される自主放送信号と、入力端子１２から入力される地上デジタル放送信号とを混合して出力端子２５から出力する。
【００６８】
以上の処理によれば、放送信号多重化装置１が施設内に設置され、設定処理を実行する指示がなされた場合には、地上デジタル放送の空きチャンネルを探索するようにしたので、空きチャンネルを確実に検出することができる。また、空きチャンネルを探索するとともに、ＮＩＴ解析を実行するようにしたので、地上デジタル放送に含まれているＩＤに関する情報を取得することができる。また、このようにして解析したＮＩＴに基づいて、自主放送の設置地域、ネットワークＩＤ、サービスＩＤ、および、リモコンキーＩＤを自動的に割り当てるようにしたので、地上デジタル放送と重複することなく、これらのＩＤを適切に設定することができる。また、自主放送のＲＦ信号レベルを、地上デジタル放送のＲＦ信号レベルの平均値と同等になるように設定したので、自主放送に近接または隣接するチャンネルの地上デジタル放送に影響を与えたり、近接または隣接する地上デジタル放送が自主放送に影響を与えたりすることを低減することができる。      
【００６９】
つぎに、図４を参照して、放送信号多重化装置１が施設内に設置された後に定期的に実行される処理について説明する。なお、図４において、図３と対応する部分には同一の符号を付してその説明を省略する。図４では、図３に比較すると、ステップＳ１０およびステップＳ２７が削除されるとともに、ステップＳ５０〜Ｓ５２の処理が追加されているので、ステップＳ５０〜Ｓ５２の処理に主眼をおいて説明する。図４に示す処理は、一定時間おき、例えば、設置後に１日おきに実行される処理である。このフローチャートの処理が開始されると、前述のステップＳ１１〜Ｓ１８に続いて、以下のステップが実行される。
【００７０】
ステップＳ５０では、制御部１９は、既存の情報と新たに取得した情報を比較する。より詳細には、制御部１９は、設定処理後の１回目の処理である場合には、設定処理時に図３のステップＳ１４において記憶されている空きチャンネル、および、ステップＳ１７の処理によって解析されたＮＩＴを参照し、今回の処理によって記憶された空きチャンネルおよびＮＩＴと比較する。また、設定処理後の２回目以降の処理である場合には、図４に示す処理によって前回取得された空きチャンネルおよびＮＩＴと比較する。
【００７１】
ステップＳ５１では、制御部１９は、ステップＳ５０における比較により、前回から変化が生じている場合（ステップＳ５１：Ｙｅｓ）にはステップＳ５２に進み、それ以外の場合（ステップＳ５１：Ｎｏ）には処理を終了する。例えば、前回の処理に比較して、空きチャンネルまたはＮＩＴが変更された場合にはステップＳ５２に進む。
【００７２】
ステップＳ５２では、制御部１９は、再設定処理を実行して処理を終了する。なお、この再設定処理としては、図３に示すステップＳ１９〜ステップＳ２６の処理を実行することができる。
【００７３】
以上の処理によれば、図３に示す設定処理が実行された後に、例えば、地上デジタル放送の放送が変更されたり、ＩＤ等が変更されたりした場合でも、このような変更に対応した設定を新たに実行することができる。
【００７４】
つぎに、図５を参照して、放送信号多重化装置１が設置された後に、自主放送信号が正常であるか否かを判定するために実行される処理について説明する。図５に示す処理が開始されると、以下のステップが実行される。
【００７５】
ステップＳ７０では、制御部１９は、ＯＦＤＭ復調部１７を制御して、放送信号多重化装置１が送信中の自主放送信号を受信させる。
【００７６】
ステップＳ７１では、制御部１９は、ＯＦＤＭ復調部１７を制御して、ステップＳ７０で受信した自主放送信号をＯＦＤＭ復調させる。
【００７７】
ステップＳ７２では、制御部１９は、ＯＦＤＭ復調に成功したか否かを判定し、成功したと判定した場合（ステップＳ７２：Ｙｅｓ）にはステップＳ７３に進み、それ以外の場合（ステップＳ７２：Ｎｏ）にはステップＳ７４に進む。
【００７８】
ステップＳ７３では、制御部１９は、自主放送をＯＦＤＭ復調できたことから、自主放送は正常と判定して処理を終了する。
【００７９】
ステップＳ７４では、制御部１９は、ＯＦＤＭ変調部２２をオフの状態に設定する。これにより、自主放送信号が混合部２３に対して出力されない状態となる。
【００８０】
ステップＳ７５では、制御部１９は、ＯＦＤＭ復調部１７を制御し、自主放送と同じ周波数帯域のＲＦ信号レベルを検出する。例えば、図２に示す周波数ｆ２が自主放送の周波数である場合には、周波数ｆ２のＲＦ信号レベルを検出する。
【００８１】
ステップＳ７６では、制御部１９は、ステップＳ７５で検出したＲＦ信号レベルと閾値Ｔｈ２を比較し、ＲＦ信号レベル＞Ｔｈ２である場合（ステップＳ７６：Ｙｅｓ）にはステップＳ７８に進み、それ以外の場合（ステップＳ７６：Ｎｏ）にはステップＳ７７に進む。なお、閾値Ｔｈ２としては、図３のステップＳ１３に示す閾値Ｔｈ１と異なる値を用いることができる。閾値Ｔｈ１，Ｔｈ２はそれぞれ空きチャンネルか否か、つまり、信号が存在しないか否かを判定するための閾値であり、Ｔｈ２≠Ｔｈ１と設定することができる。もちろん、Ｔｈ２＝Ｔｈ１と設定してもよい。
【００８２】
ステップＳ７７では、制御部１９は、自装置の異常であると判定する。すなわち、自装置から出力される放送信号を復調することができないとともに、上位装置から当該周波数帯域に何らかの信号も出力されていないことから、制御部１９は、自装置が異常であると判定し、例えば、入出力部２０に対して自装置の異常を示す情報を表示して処理を終了する。
【００８３】
ステップＳ７８では、制御部１９は、上位装置から新たな放送信号が出力されていると判定し、ステップＳ７９に進む。すなわち、ＯＦＤＭ変調部２２をオフの状態にしたにも拘わらず、ＲＦ信号レベルがＴｈ２以上の信号が出力されていることから、制御部１９は、新たな放送信号が当該周波数帯域に出力されていると判定する。
【００８４】
ステップＳ７９では、制御部１９は、再設定処理を実行する。より詳細には、例えば、制御部１０は、図３に示す処理を実行する。
【００８５】
以上の処理により、自主放送信号が正常であるか否かを判定することができる。また、自主放送信号と同じ周波数帯域に、新たに放送信号が追加された場合には、これを検出して、再設定処理を実行することができる。
【００８６】
なお、上記のステップにおいて、自主放送信号のＭＥＲ（Modulation Error Ratio）,ＢＥＲ(Bit Error Rate)等の信号品質を検出する様にしてもよい。より具体的には、例えば、ステップＳ７１の前段において自主放送信号の信号品質を検出し、該信号品質が正常である場合にはステップＳ７１に進み、そうでない場合にはステップＳ７４に進むようにしてもよい。更には、ステップＳ７１，Ｓ７２を行う替わりに自主放送信号の信号品質を測定し、該信号品質が正常である場合にはステップＳ７３に進み、そうでない場合にはステップＳ７４に進むようにしてもよい。この他、ＯＦＤＭ復調と並列して、または前後にて信号品質を検出し、該信号品質が正常であるか否かに基づいて、Ｓ７４以降の各ステップを行うかを判断する様にしてもよい。
【００８７】
つぎに、図６を参照して、放送信号多重化装置１が設置された後に、ＲＦ信号レベルを調整する処理について説明する。図６に示す処理は、定期的（例えば、１日おき）に実行される。図６の処理が開始されると、以下のステップが実行される。
【００８８】
ステップＳ９０では、制御部１９は、ＯＦＤＭ復調部１７を制御して、地上デジタル放送信号のＲＦ信号レベルの平均値を検出する。より詳細には、制御部１９はＯＦＤＭ復調部１７を制御して、地上デジタル放送信号の一部または全部のチャンネルのＲＦ信号レベルを検出し、検出したこれらのチャンネルのＲＦ信号レベルの平均値を求める。
【００８９】
ステップＳ９１では、制御部１９は、ＯＦＤＭ復調部１７を制御して、自装置が送信中の自主放送の放送信号を選択させる。
【００９０】
ステップＳ９２では、制御部１９は、ＯＦＤＭ復調部１７を制御して、自装置が送信中の自主放送のＲＦ信号レベルを検出させる。
【００９１】
ステップＳ９３では、制御部１９は、ステップＳ９０で検出した地上デジタル放送のＲＦ信号レベルの平均値と、ステップＳ９２で検出した自主放送のＲＦ信号レベルを比較し、これらが同等か否かを判定し、同等と判定した場合（ステップＳ９３：Ｙｅｓ）にはステップＳ９４に進み、それ以外の場合（ステップＳ９３：Ｎｏ）にはステップＳ９５に進む。なお、地上デジタル放送のＲＦ信号レベルの平均値と、自主放送のＲＦ信号レベルの差が所定の閾値未満である場合にはＹｅｓと判定してステップＳ９４に進むようにしてもよい。
【００９２】
ステップＳ９４では、制御部１９は、自主放送のＲＦ信号レベルは正常であると判定して処理を終了する。
【００９３】
ステップＳ９５では、制御部１９は、自主放送のＲＦ信号レベルは正常でないと判定し、ＯＦＤＭ変調部２２を制御して、自主放送のＲＦ信号レベルが地上デジタル放送のＲＦ信号レベルの平均値と同等になるように調整し、処理を終了する。
【００９４】
以上の処理によれば、例えば、受信状況等が変化して、地上デジタル放送のＲＦ信号レベルが変化した場合には、自主放送のＲＦ信号レベルを地上デジタル放送のＲＦ信号レベルの平均値と同等になるように調整することができる。これにより、自主放送のＲＦ信号と近接または隣接する地上デジタル放送のＲＦ信号の間で干渉が生じることを防止できる。
【００９５】
（Ｃ）変形実施形態の説明
以上の実施形態は一例であって、本発明が上述したような場合のみに限定されるものではない。例えば、図１に示す例では、自主放送は１種類だけとしたが、複数の自主放送を多重化するようにしてもよい。
【００９６】
また、以上の実施形態では、自主放送と地上デジタル放送を多重化するようにしたが、地上デジタル放送以外の放送信号（例えば、ＢＳ（Broadcasting Satellite）デジタル放送信号等）と多重化するようにしたり、地上デジタル放送に加えてそれ以外の放送信号を多重化したりするようにしてもよい。
【００９７】
また、放送信号多重化装置１が定期的にＳＤＴＴ（Software Download Trigger Table）を送信するようにし、ＳＤＴＴを受信したテレビ受像機がチャンネルスキャン処理を実行するようにしてもよい。このような処理によれば、例えば、自主放送または地上デジタル放送のチャンネルが変更になったり、各種のＩＤが変更になったりした場合であっても、テレビ受像機がＳＤＴＴをトリガとして、チャンネルスキャンを実行することで、このような変更にテレビ受像機が対応することができる。
【００９８】
また、以上の実施形態では、ＲＦ信号レベルを参照して、空きチャンネルか否かを判定するようにしたが、例えば、Ｃ／Ｎ比（Carrier to Noise Ratio）やＢＥＲ、ＭＥＲ等を参照するようにしてもよい。
【００９９】
また、以上の実施形態では、自主放送信号を多重化するようにしたが、例えば、監視カメラによって撮影された映像を多重化したり、あるいは、音声信号を多重化したりしてもよい。もちろん、データ信号を多重化するようにしてもよい。
【０１００】
また、以上の実施形態では、ＯＦＤＭ変調部２２をオフの状態にすることで、自主放送信号が混合部に出力されないようにしたが、例えば、ＯＦＤＭ変調部２２と混合部２３の間にスイッチを設け、このスイッチをオフの状態にすることで、自主放送信号が混合部に出力されないようにしてもよい。もちろん、これ以外の方法によって、自主放送信号の出力を停止するようにしてもよい。
【０１０１】
また、以上の実施形態では、放送信号多重化装置を１つ用いる例を示したが、複数の自主放送を多重化する場合には、複数台の放送信号多重化装置を用いるようにしてもよい。
【０１０２】
また、以上の実施形態では、地上デジタル放送に対して自主放送信号を設定する例を示したが、地上デジタル放送以外の放送信号、例えば、マルチメディア放送などのデジタル放送信号に対して自主放送信号を設定するようにしてもよい。このような場合、例えば、当該放送信号を入力端子１２から放送信号多重化装置１に入力し、当該放送信号における全てのチャンネルから空きチャンネルを特定することができる。尚、この様な場合には、図３〜図５に記載の各ステップを必要に応じて省略してもよい。
【符号の説明】
【０１０３】
１  放送信号多重化装置
１０  入力端子
１１  入出力端子
１２  入力端子（入力手段）
１３  ビデオ・オーディオ処理部
１４  エンコード部
１５  受信監視制御部
１６  ＰＳＩ／ＳＩ生成部
１７  ＯＦＤＭ復調部（復調手段）
１８  時刻生成部
１９  制御部（制御手段）
２０  入出力部
２１  多重化部
２２  ＯＦＤＭ変調部（変調手段）
２３  混合部（混合手段）
２４  分配部
２５  出力端子
【図１】
2016092702.tif 000003
【図２】
2016092702.tif 000004
【図３】
2016092702.tif 000005
【図４】
2016092702.tif 000006
【図５】
2016092702.tif 000007
【図６】
2016092702.tif 000008